(57)【要約】【課題】本発明の目的は、複数の情報端末に同時にかつ同一の操作入力を行うキッティングシステムにおいて、同じ設定項目に対して情報端末毎に異なる設定情報を入力させることが可能なキッティング支援システムを提供することにある。【解決手段】本発明のキッティング支援システムは、設定項目に対して情報端末毎に異なる設定情報が記録された設定ファイルを記憶する記憶部と、設定項目に対応する設定情報を表示するためのキッティング支援画面を各情報端末に配信する配信制御部と、を有する。キッティングシステムは、キッティング支援画面に表示される設定情報をコピーして情報端末が表示する入力画面にペーストするキッティング操作入力を各情報端末に同時に行う。配信制御部は、各情報端末それぞれから送信される各情報取得要求に基づいて、異なる設定情報を各情報端末に同時に配信する。【選択図】図１２
2019067245.tif 000002
【特許請求の範囲】
【請求項１】
複数の情報端末に同時にかつ同一の操作入力を行うキッティングシステムと連携し、通信機能を有する前記各情報端末と接続されるキッティング支援システムであって、
１つ又は複数の設定項目に対して、前記情報端末毎に異なる設定情報が記録された設定ファイルを記憶する記憶部と、
前記各情報端末に予め設けられた画面表示機能によって表示可能であり、前記設定項目に対応する前記設定情報を表示するためのキッティング支援画面を、前記各情報端末に配信する配信制御部と、を有し、
前記キッティングシステムは、前記キッティング支援画面に表示される前記設定情報をコピーして前記情報端末が表示する入力画面にペーストするキッティング操作入力を、前記各情報端末に同時に行い、
前記配信制御部は、前記キッティングシステムを通じた前記キッティング支援画面に対する操作入力によって前記各情報端末それぞれから送信される各情報取得要求に基づいて、前記設定ファイルから該当する前記設定情報をそれぞれ抽出し、抽出された異なる前記設定情報を前記各情報端末に同時に配信し、互いに異なる前記設定情報を含む前記キッティング支援画面を前記各情報端末に表示させる
ことを特徴とするキッティング支援システム。
【請求項２】
前記設定ファイルは、複数の設定項目を含み、
前記キッティング支援画面は、当該キッティング支援画面に含まれる前記設定情報の次の前記設定情報に対する前記情報取得要求を前記キッティング支援システムに送信するための要求ボタンを含んでおり、
前記配信制御部は、前記キッティングシステムを通じた前記キッティング支援画面の前記要求ボタンに対する操作入力によって前記情報端末から前記情報取得要求を受信する度に、前記設定情報を順に抽出して前記情報端末に配信する
ことを特徴とする請求項１に記載のキッティング支援システム。
【請求項３】
前記キッティング操作入力を通じて１つ又は複数の前記設定情報が格納された前記情報端末から抽出される、入力済みの前記設定情報を含む端末設定情報を取得し、複数の前記情報端末毎に記憶する内部設定情報取得部と、
前記情報端末毎に、前記端末設定情報と前記設定ファイルとを照合する第１検証部と、
を備えることを特徴とする請求項１又は２に記載のキッティング支援システム。
【請求項４】
前記キッティングシステムは、複数の前記情報端末に同時にかつ同一の操作入力を行わせるためのオペレータによって操作される代表情報端末を含むとともに、前記キッティング支援画面を通じた前記キッティング操作入力とは異なり、前記各情報端末間で共通する共通キッティング設定操作を前記代表情報端末に対して行い、
前記キッティング支援システムは、複数の前記情報端末とは個別に又は一緒に、前記代表情報端末に対して前記キッティング支援画面を通じた前記設定情報の配信制御を行い、
前記内部設定情報取得部は、前記共通キッティング設定操作を通じた１つ又は複数の共通設定情報が格納された前記代表情報端末から抽出される第１共通設定情報を取得するとともに、複数の前記情報端末それぞれから前記第１共通設定情報に対応する第２共通設定情報を取得し、
前記情報端末毎に、前記第１共通設定情報と前記第２共通設定情報とを照合する第２検証部と、
を備えることを特徴とする請求項３に記載のキッティング支援システム。
【請求項５】
前記情報端末は、タッチパネルを備えており、
前記キッティングシステムは、
複数の前記情報端末に対して同時にかつ同一の操作入力を行わせるための、オペレータによって操作されるタッチパネルを備えた代表情報端末と、
オペレータの操作に応じて三次元移動が可能であり、前記代表情報端末の前記タッチパネルに対するタッチペンを用いた操作入力情報であって、前記タッチパネルに対する前記タッチペンの三次元位置情報を含む前記操作入力情報を記録するティーチングユニットと、
複数の前記情報端末が載置されるとともに、前記各情報端末のタッチパネルに操作入力を行うための複数のタッチペンを、前記操作入力情報に基づいて自動的に三次元移動させる自動設定ユニットと、を備える
ことを特徴とする請求項１から４のいずれか１つに記載のキッティング支援システム。
【請求項６】
複数の情報端末に同時にかつ同一の操作入力を行うキッティングシステムと連携し、通信機能を有する前記各情報端末と接続されるコンピュータによって実行されるプログラムであって、前記コンピュータに、
１つ又は複数の設定項目を含み、同じ設定項目に対して前記情報端末毎に異なる設定情報が記録された設定ファイルを登録する第１機能と、
前記各情報端末に予め設けられた画面表示機能によって表示可能であり、前記設定項目に対応する前記設定情報を表示するためのキッティング支援画面を、前記各情報端末に配信する第２機能と、を実現させ、
前記キッティングシステムは、前記キッティング支援画面に表示される前記設定情報をコピーし、前記情報端末が表示する入力画面にペーストするキッティング操作入力を複数の前記情報端末に同時に行わせ、
前記第２機能は、前記キッティングシステムを通じた前記キッティング支援画面に対する操作入力によって複数の前記情報端末それぞれから送信される各情報取得要求に基づいて、前記設定ファイルから該当する前記設定情報をそれぞれ抽出し、抽出された異なる前記設定情報を前記各情報端末に同時に配信し、互いに異なる前記設定情報を含む前記キッティング支援画面を前記各情報端末に表示させることを特徴とするプログラム。
【発明の詳細な説明】
【技術分野】
【０００１】
本発明は、複数の情報端末に同時にかつ同一の操作入力を行うキッティングシステムの支援技術に関する。
【背景技術】
【０００２】
従来から、スマートフォンやタブレット端末等の情報端末に、ユーザがすぐに使用できるように、予め各種設定を行ったりアプリケーションプログラムをインストールしたりするキッティングが行われている（例えば、特許文献１）。
【先行技術文献】
【特許文献】
【０００３】
【特許文献１】特開２０１７−４９７７３号公報
【発明の概要】
【発明が解決しようとする課題】
【０００４】
情報端末の数が多くなると、手作業でのキッティング作業には限界がある。そこで、近年、複数の情報端末に同時かつ同一の操作入力を自動で行うことで、複数の情報端末にキッティングを行うキッティングシステムが提案されている。
【０００５】
キッティングにおいて、ユーザの氏名や生年月日等の個人設定情報、ユーザＩＤやメールアドレス、パスワード等の個別設定情報等は、情報端末毎に個別に入力したいという要求がある。しかしながら、従来のキッティングシステムでは、入力時に各端末に同一の操作入力を行うと、同一の内容を入力することとなる。例えば各端末にキーボードを用いて同一の操作入力を行うと、各端末に同一のキー入力を行うこととなり、情報端末毎に個別の設定情報を入力できない。
【０００６】
本発明の目的は、複数の情報端末に同時にかつ同一の操作入力を行うキッティングシステムにおいて、同じ設定項目に対して情報端末毎に異なる設定情報を入力させることが可能なキッティング支援システムを提供することにある。
【課題を解決するための手段】
【０００７】
本発明のキッティング支援システムは、複数の情報端末に同時にかつ同一の操作入力を行うキッティングシステムと連携し、通信機能を有する前記各情報端末と接続されるキッティング支援システムであって、１つ又は複数の設定項目に対して、前記情報端末毎に異なる設定情報が記録された設定ファイルを記憶する記憶部と、前記各情報端末に予め設けられた画面表示機能によって表示可能であり、前記設定項目に対応する前記設定情報を表示するためのキッティング支援画面を、前記各情報端末に配信する配信制御部と、を有し、前記キッティングシステムは、前記キッティング支援画面に表示される前記設定情報をコピーして前記情報端末が表示する入力画面にペーストするキッティング操作入力を、前記各情報端末に同時に行い、前記配信制御部は、前記キッティングシステムを通じた前記キッティング支援画面に対する操作入力によって前記各情報端末それぞれから送信される各情報取得要求に基づいて、前記設定ファイルから該当する前記設定情報をそれぞれ抽出し、抽出された異なる前記設定情報を前記各情報端末に同時に配信し、互いに異なる前記設定情報を含む前記キッティング支援画面を前記各情報端末に表示させることを特徴とする。
【０００８】
本発明では、前記設定ファイルは、複数の設定項目を含み、前記キッティング支援画面は、当該キッティング支援画面に含まれる前記設定情報の次の前記設定情報に対する前記情報取得要求を前記キッティング支援システムに送信するための要求ボタンを含んでおり、前記配信制御部は、前記キッティングシステムを通じた前記キッティング支援画面の前記要求ボタンに対する操作入力によって前記情報端末から前記情報取得要求を受信する度に、前記設定情報を順に抽出して前記情報端末に配信することが好ましい。
【０００９】
本発明では、前記キッティング操作入力を通じて１つ又は複数の前記設定情報が格納された前記情報端末から抽出される、入力済みの前記設定情報を含む端末設定情報を取得し、複数の前記情報端末毎に記憶する内部設定情報取得部と、前記情報端末毎に、前記端末設定情報と前記設定ファイルとを照合する第１検証部と、を備えることが好ましい。
【００１０】
本発明では、前記キッティングシステムは、複数の前記情報端末に同時にかつ同一の操作入力を行わせるためのオペレータによって操作される代表情報端末を含むとともに、前記キッティング支援画面を通じた前記キッティング操作入力とは異なり、前記各情報端末間で共通する共通キッティング設定操作を前記代表情報端末に対して行い、前記キッティング支援システムは、複数の前記情報端末とは個別に又は一緒に、前記代表情報端末に対して前記キッティング支援画面を通じた前記設定情報の配信制御を行い、前記内部設定情報取得部は、前記共通キッティング設定操作を通じた１つ又は複数の共通設定情報が格納された前記代表情報端末から抽出される第１共通設定情報を取得するとともに、複数の前記情報端末それぞれから前記第１共通設定情報に対応する第２共通設定情報を取得し、  前記情報端末毎に、前記第１共通設定情報と前記第２共通設定情報とを照合する第２検証部と、を備えることが好ましい。
【００１１】
本発明では、前記情報端末は、タッチパネルを備えており、前記キッティングシステムは、複数の前記情報端末に対して同時にかつ同一の操作入力を行わせるための、オペレータによって操作されるタッチパネルを備えた代表情報端末と、オペレータの操作に応じて三次元移動が可能であり、前記代表情報端末の前記タッチパネルに対するタッチペンを用いた操作入力情報であって、前記タッチパネルに対する前記タッチペンの三次元位置情報を含む前記操作入力情報を記録するティーチングユニットと、複数の前記情報端末が載置されるとともに、前記各情報端末のタッチパネルに操作入力を行うための複数のタッチペンを、前記操作入力情報に基づいて自動的に三次元移動させる自動設定ユニットと、を備えることが好ましい。
【００１２】
本発明のプログラムは、複数の情報端末に同時にかつ同一の操作入力を行うキッティングシステムと連携し、通信機能を有する前記各情報端末と接続されるコンピュータによって実行されるプログラムであって、前記コンピュータに、１つ又は複数の設定項目を含み、同じ設定項目に対して前記情報端末毎に異なる設定情報が記録された設定ファイルを登録する第１機能と、前記各情報端末に予め設けられた画面表示機能によって表示可能であり、前記設定項目に対応する前記設定情報を表示するためのキッティング支援画面を、前記各情報端末に配信する第２機能と、を実現させ、前記キッティングシステムは、前記キッティング支援画面に表示される前記設定情報をコピーし、前記情報端末が表示する入力画面にペーストするキッティング操作入力を複数の前記情報端末に同時に行わせ、前記第２機能は、前記キッティングシステムを通じた前記キッティング支援画面に対する操作入力によって複数の前記情報端末それぞれから送信される各情報取得要求に基づいて、前記設定ファイルから該当する前記設定情報をそれぞれ抽出し、抽出された異なる前記設定情報を前記各情報端末に同時に配信し、互いに異なる前記設定情報を含む前記キッティング支援画面を前記各情報端末に表示させることを特徴とする。
【発明の効果】
【００１３】
本発明では、複数の情報端末に対して同時にかつ同一の操作入力を行うキッティングシステムにおいて、同じ設定項目に対して情報端末毎に異なる設定情報を入力させることが可能となる。
【図面の簡単な説明】
【００１４】
【図１】キッティングシステムの全体構成を示す図である。
【図２】サーバの機能を示すブロック図である。
【図３】マスター端末へのキッティング処理を示すフローチャートである。
【図４】設定ファイルの内容の一部を示す図である。
【図５】設定ファイルの内容の一部を示す図である。
【図６】個体識別番号の入力工程を示す図である。
【図７】サーバが作成するwebページを示す図である。
【図８】webページに表示される一連の設定情報等を示す図である。
【図９】webページに表示される最初の設定情報等を示す図である。
【図１０】アプリケーションプログラム「Zqqq」のインストール時にマスター端末が表示する一連の画面を示す図である。
【図１１】アプリケーションプログラム「Zqqq」のインストール時にマスター端末が表示する一連の画面を示す図である。
【図１２】webページのメールアドレスをコピー＆ペーストすることを示す図である。
【図１３】webページのパスワードをコピー＆ペーストすることを示す図である。
【図１４】webページに表示されるＵＲＬを示す図である。
【図１５】スレーブ端末へのキッティング処理を示すフローチャートである。
【図１６】ベリファイ処理を示すフローチャートである。
【図１７】ティーチングユニットの斜視図である。
【図１８】自動設定ユニットの斜視図である。
【図１９】Ｙ軸用直動案内ユニットのレールおよびスライダの拡大斜視図である。
【図２０】変形例のマスター端末へのキッティング処理を示すフローチャートである。
【図２１】変形例の一連のwebページを示す図である。
【図２２】変形例のスレーブ端末へのキッティング処理を示すフローチャートである。
【発明を実施するための形態】
【００１５】
以下、実施形態について図面を参照しつつ説明する。
（キッティングシステム１００およびサーバ１の構成）
図１は、キッティングシステム１００およびサーバ１の全体構成を示す図である。
キッティングシステム１００は、サーバ１と連携するとともに、複数のスレーブ端末４２（本発明の情報端末）に同時にかつ同一の操作入力を行い、複数のスレーブ端末４２を同時にキッティングする。キッティングとは、ユーザへの受け渡し前に行うスレーブ端末４２のセットアップ作業を指す。キッティングは、スレーブ端末４２へアプリケーションプログラムをインストールしたり、スレーブ端末４２の各項目の設定を行ったり、各社が提供するサービスのアカウントを各スレーブ端末４２から取得したりすることを含む。
【００１６】
サーバ１（本発明のキッティング支援システム、コンピュータ）は、キッティングシステム１００と連携し、通信機能を有する各スレーブ端末４２と接続される。
【００１７】
サーバ１は、各スレーブ端末４２に、同じ設定項目に関して個別の設定情報５２（図４）を同時に配信する。これにより、各スレーブ端末４２は、同じ設定項目に関して個別の設定情報５２を含むwebページ９１（図１２（Ａ）：本発明のキッティング支援画面）を同時に表示する。キッティングシステム１００は、webページ９１に表示される設定情報５２をコピーしてスレーブ端末４２が表示する画面８２（図１２（Ｂ）：本発明の入力画面）にペーストするキッティング操作入力を、各スレーブ端末４２に同時に行う。
【００１８】
これにより、本実施形態では、複数のスレーブ端末４２に同時にかつ同一の操作入力を行うキッティングシステム１００において、同じ設定項目に対してスレーブ端末４２毎に異なる設定情報５２を入力させることが可能となる。
【００１９】
キッティングシステム１００は、ティーチングユニット２、自動設定ユニット３、マスター端末４１、スレーブ端末４２、およびＰＣ５(Personal Computer)を備える。ティーチングユニット２および自動設定ユニット３は、サーバ１に有線または無線により通信可能に接続する。サーバ１、マスター端末４１、およびスレーブ端末４２は、インターネットに接続する。
【００２０】
マスター端末４１およびスレーブ端末４２は、スマートフォンやタブレット端末であり、同一のものである。ティーチングユニット２に載置される端末をマスター端末４１と記載し、自動設定ユニット３に載置される端末をスレーブ端末４２と記載する。
【００２１】
マスター端末４１は、複数のスレーブ端末４２に対して同時にかつ同一の操作入力を行わせるための、オペレータによって操作されるタッチパネル４１１を備える。
【００２２】
スレーブ端末４２は、自動設定ユニット３に例えば１０台設置され、それぞれ、自動設定ユニット３によって操作されるタッチパネル４２１を備える。以降、マスター端末４１およびスレーブ端末４２を端末４１、４２と記載することがある。
【００２３】
ティーチングユニット２は、オペレータの操作に応じて三次元移動が可能でありマスター端末４１のタッチパネル４１１に対するタッチペン２１、を用いた操作入力情報を記録する。操作入力情報は、タッチパネル４１１に対するタッチペン２１の三次元位置情報を含む。
【００２４】
ティーチングユニット２は、タッチペン２１がマスター端末４１に対して３軸方向にスライド移動することをガイドするとともに、タッチペン２１の操作入力情報（ホームポジションからの時間毎の変位量）を取得する。３軸方向は、互いに直交するＸ，Ｙ，Ｚ軸方向である。Ｘ方向およびＹ方向は水平方向に沿い、Ｚ軸方向は鉛直方向である。
【００２５】
オペレータは、タッチペン２１の近傍に設けられたグリップ２８２（図１７）を把持してタッチペン２１を３軸方向に移動させることができる。オペレータは、タッチペン２１によりマスター端末４１のタッチパネル４１１をタップしたりロングタップしたりスワイプしたりしてマスター端末４１に操作入力を行い、マスター端末４１のキッティングを行う。
【００２６】
ここで、ＰＣ５は、サーバ１に、複数の設定項目に対して、端末４１，４２毎に異なる設定情報５２が記録された設定ファイル５０を送信する。マスター端末４１は、オペレータの操作入力を受けて、サーバ１に、順次、各設定項目の設定情報５２のリクエスト（本発明の情報取得要求）を行う。サーバ１は、マスター端末４１に、設定ファイル５０に基づいて各設定項目の設定情報５２を順次配信する。
【００２７】
マスター端末４１は、webページ９１において設定情報５２を順次表示する。オペレータは、順次表示される設定情報５２を用いて、マスター端末４１をキッティングする。例えば、オペレータは、設定情報５２（図１２（Ａ））をコピーして画面８２（図１２（Ｂ））にペーストする操作入力をマスター端末４１に行う。ティーチングユニット２は、オペレータによるタッチペン２１を用いた操作入力情報を記録し、サーバ１に送信する。サーバ１は、操作入力情報を自動設定ユニット３に送信する。サーバ１は、ティーチングユニット２から受信する操作入力情報に対し、オペレータの操作時間が空いている部分を除去する補正等、適宜の補正を行ってもよい。
【００２８】
自動設定ユニット３は、複数のスレーブ端末４２が載置されるとともに、各スレーブ端末４２のタッチパネル４２１に操作入力を行うための複数のタッチペン３１を、サーバ１から受信する操作入力情報に基づいて自動的に三次元移動させる。サーバ１は、自動設定ユニット３に一連の操作入力情報をまとめて送ってもよいし、逐次、操作入力情報を送信してもよい。
【００２９】
自動設定ユニット３は、スレーブ端末４２毎に設けられたタッチペン３１を備える。自動設定ユニット３は、複数のタッチペン３１を三次元方向に移動制御可能であり、複数のタッチペン３１を同時に同じ方向に移動させる。サーバ１は、ティーチングユニット２におけるタッチペン２１の操作入力を各スレーブ端末４２に対して再現させるタッチペン３１の操作入力情報を自動設定ユニット３に送信する。
【００３０】
自動設定ユニット３は、受信する操作入力情報に基づき、自動かつ同時に各スレーブ端末４２に対し、タッチペン３１による操作入力を行う。自動設定ユニット３は、図１２（Ａ）（Ｂ）に示すように、webページ９１中の設定情報５２をコピーして画面８２にペーストさせるマスター端末４１に対する操作入力を、各スレーブ端末４２に対してタッチペン３１により再現する。
【００３１】
この際、サーバ１は、マスター端末４１に対するキッティング時と同様、各スレーブ端末４２に、各設定項目の設定情報５２を順次配信する。また、サーバ１は、同一の設定項目の設定情報５２を、各スレーブ端末４２に同時に配信する。これにより、自動設定ユニット３は、各スレーブ端末４２において、webページ９１の設定情報５２を利用しながら設定項目を設定し、各スレーブ端末４２のキッティングを同時に完了させることができる。
【００３２】
ここで、webページ９１の設定情報５２は、設定ファイル５０にて各スレーブ端末４２に固有のものまたは共通のもののいずれにも設定できる。従って、本実施形態では、各スレーブ端末４２に対して自動設定ユニット３によりタッチペン３１を用いた共通の操作入力を行っても、各スレーブ端末４２の固別設定が可能である。また、本実施形態では、設定情報５２を各スレーブ端末４２に共通のものに設定することで、自動設定ユニット３による各スレーブ端末４２への共通の操作入力により、各スレーブ端末４２に共通の設定を行うことが可能である。
【００３３】
図２は、サーバ１の機能を示すブロック図である。
サーバ１は、設定ファイル読込部１０１、webページ作成部１０２、記憶部１０３、ＵＲＬ表示部１０４、配信制御部１０５、操作入力情報取得部１０６、操作入力情報送信部１０７、入力部１０８、表示部１０９、内部設定情報取得部１１０、第１検証部１１１、第２検証部１１２、マスターデータ生成部１１３を備える。
【００３４】
入力部１０８は、キーボードやマウス等であり、オペレータの入力を受け付ける。表示部１０９は、ディスプレイ等であり、画面を表示する。各機能部１０１〜１０７、１１０〜１１３については後述する。サーバ１は、各機能部１０１〜１０７、１１０〜１１３が複数のサーバに跨って存在していたり、ある機能部が複数のサーバ１により実現されていたりする分散系であってもよい。各機能部は、記憶部１０３にあるプログラムをプロセッサが読み込むことにより実現される。
【００３５】
端末４１，４２は、メモリ、プロセッサ、タッチパネル４１１，４２１を備える。後述するキッティングの各工程における端末４１，４２の処理は、プロセッサがメモリ内のプログラムを読み込むことにより実現される。
【００３６】
以下、マスター端末４１のキッティング時の操作入力情報をサーバ１が取得する際のサーバ１およびマスター端末４１の処理を、図３のフローチャートを参照して説明する。
オペレータは、複数の設定項目に対して、端末４１，４２毎に異なる設定情報が記録された設定ファイル５０をキッティング開始前に例えばＰＣ５にて作成し、該ＰＣ５からサーバ１に送信する。なお、設定ファイル５０では、一つの設定項目に対してのみ設定情報が記録されていてもよい。
【００３７】
サーバ１の設定ファイル読込部１０１がＰＣ５から受信する設定ファイル５０を読み込む（ステップＳ１０１）。サーバ１の記憶部１０３（本発明の第１機能）は、メモリであり、設定ファイル５０を記憶する（ステップＳ１０２）。
【００３８】
図４、５は、設定ファイル５０の内容の一部を示す図である。
キッティングでは、各端末４１，４２にアプリケーションプログラムをインストールしたり、端末４１，４２の各項目の設定を行ったりするところ、本実施形態では、キッティングとして、端末４１，４２にアプリケーションプログラム「Zqqq」をインストールする例を説明する。
【００３９】
設定ファイル５０では、キッティング対象の端末４１、４２の個体識別番号５１に対し、設定項目ごとに設定情報５２が対応付けられる。設定情報５２は、テキスト設定情報５２１、ブランク５２２、ＵＲＬ５２３（図５：Uniform Resource Locator）を含む。図４，５にてブランク５２２は「−」で示される。
【００４０】
設定ファイル５０では、設定項目毎に、さらに、設定手順の説明５３および該設定項目のタイトル５４が対応付けられる。タイトル５４は、設定項目によってはブランクとされ、図４，５では「−」で示される。設定ファイル５０では、設定項目毎に、設定手順の説明５３、タイトル５４、および設定情報５２から図４，５にて縦一列に並ぶカラムが構成される。
【００４１】
個体識別番号５１として、本実施形態ではＩＭＥＩ(International Mobile Equipment Identifier)を用いる。各設定情報５２は、端末４２に固有の識別情報に対応付けられていればよい。識別情報は、ＩＭＥＩのほか、適宜の情報を使用できる。
【００４２】
設定手順の説明５３は、オペレータがタッチペン２１を操作してマスター端末４１をキッティングする際に、該設定項目においてオペレータが行うべき設定手順の説明である。後述する設定情報表示用のwebページ９１では、設定手順の説明５３の表示の有無を予め設定できる。
【００４３】
図６（Ａ）は、個体識別番号５１の入力受付用のwebページ９２を示す図である。図６（Ｂ）は、ＩＭＥＩの表示画面８１を示す図である。
サーバ１のwebページ作成部１０２は、設定ファイル５０が読み込まれて記憶部１０３に記憶されると、個体識別番号５１の入力を受け付けるwebページ９２を作成し、記憶部１０３に記憶させる。サーバ１のＵＲＬ表示部１０４は、webページ９２のＵＲＬを表示部１０９に表示する（ステップＳ１０３）。本実施形態では、設定情報表示用のwebページ９１において設定手順の説明５３が表示されるように設定されている場合のＵＲＬが発行されるものとする。サーバ１から送信されるwebページ９２及び後述するwebページ９１は、ＨＴＭＬ(HyperText Markup Language)により記述される。
【００４４】
オペレータは、ティーチングユニット２のタッチペン２１を操作してマスター端末４１のwebブラウザを開くとともに、非同期的にサーバ１と通信するためのスクリプトを有効に設定する。該スクリプトにより、マスター端末４１は、設定項目ごとにwebページ９１全体を更新するのではなく、設定項目ごとに設定情報５２等（設定手順の説明５３、タイトル５４、プログレスバー５５）を順次更新することが可能になる。
【００４５】
オペレータは、タッチペン２１を操作して、サーバ１が表示するＵＲＬを入力し、該ＵＲＬが示すサーバ１にマスター端末４１をアクセスさせる。マスター端末４１は、webブラウザ（およびスクリプト）により、ＨＴＴＰプロトコルに則ってＵＲＬで示されたwebページ９２（ＨＴＭＬファイル）のリクエストをサーバ１に対して行う（ステップＳ２０１）。
【００４６】
サーバ１の配信制御部１０５は、該リクエストを受けて、ＵＲＬで示された識別番号入力用のwebページ９２をマスター端末４１に配信（レスポンス）する（ステップＳ１０４）。
【００４７】
マスター端末４１は、個体識別番号５１の入力受付用のwebページ９２を受信し、タッチパネル４１１に表示する（ステップＳ２０２）。
【００４８】
webページ９２には、個体識別番号５１の入力欄９２１、読み込みボタン９２２、設定手順の説明９２３として「個体識別番号を指定して下さい」が表示される。オペレータは、設定手順の説明９２３を参照して、ティーチングユニット２のタッチペン２１によりマスター端末４１に操作入力を行い、ＩＭＥＩである個体識別番号５１の表示画面８１（図６（Ｂ））を開く。
【００４９】
オペレータは、個体識別番号５１をタッチペン２１にてロングタップする。すると、個体識別番号５１が選択バー８１１，８１２で囲まれ、コピーボタン８１３を含むメニュー８１４が表示される。オペレータは、コピーボタン８１３をタッチペン２１でタップし、タブを個体識別番号５１の入力受付用のwebページ９２に切り替える。オペレータは、webページ９２の入力欄９２１をタッチペン２１にてタップし、表示されるメニュー９２４のペーストボタン９２５をタッチペン２１にてタップし、個体識別番号５１を入力欄９２１にペーストする。
【００５０】
この際、オペレータが移動させるタッチペン２１の三次元方向への時間当たりの変位量、換言するとタッチペン２１の操作入力情報は、ティーチングユニット２に記録され、サーバ１に送信されることとなる。オペレータがマスター端末４１にＵＲＬを入力するステップＳ２０１からキッティングが終了する後述のステップＳ２０６：ＹＥＳまでに操作されるタッチペン２１の一連の操作入力情報は、ティーチングユニット２に記録され、サーバ１に送信される。
【００５１】
オペレータが読み込みボタン９２２をタッチペン２１にてタップすると、マスター端末４１は、設定情報表示用のwebページ９１のリクエストとともに、入力された個体識別番号５１をサーバ１に送信する（ステップＳ２０３）。
【００５２】
図７は、設定情報表示用のwebページ９１の例を示す図である。
サーバ１の配信制御部１０５（本発明の第２機能）は、個体識別番号５１および設定情報表示用のwebページ９１のリクエストを受信すると、記憶部１０３に記憶されている設定情報表示用のwebページ９１をマスター端末４１に配信する。また、配信制御部１０５は、設定ファイル５０から個体識別番号５１に対応する最初の設定情報５２等（設定手順の説明５３、タイトル５４）を抽出し、マスター端末４１に配信する（ステップＳ１０５）。
【００５３】
マスター端末４１は、webページ９１および設定情報等を受信し、webブラウザおよび設定情報５２等を非同期的に表示するためのスクリプトにより、webページ９１および設定情報５２等を表示する（ステップＳ２０４）。
【００５４】
以下、webページ９１の内容および設定情報５２の表示の仕組みを簡単に説明する。図７では、設定情報５２等は、メールアドレスをコピー＆ペーストする設定項目（図４の１段目、右端から２番目のカラム参照）に対応するものとなっている。
【００５５】
webページ９１は、各端末４１，４２に予め設けられたwebブラウザ（本発明の画面表示機能）によって表示可能であり、各設定項目に対応する設定情報５２等を表示するためのキッティング支援画面である。webページ９１は、上下中央部に配置される横長の枠５２４、該枠５２４の上方に配置される横長の枠５４１、枠５４１の上方に配置されてキッティングの進捗を示すプログレスバー５５、プログレスバー５５の上方に配置されて「次へ」と記載される次へボタン９１１（本発明の要求ボタン）、および「戻る」と記載される戻るボタン９１２を含む。
【００５６】
マスター端末４１は、サーバ１から受信する設定情報５２を枠５２４内に表示し、設定手順の説明５３を枠５２４の下方に表示し、タイトル５４を枠５４１内に表示する。図７の例では、設定情報５２としてテキスト設定情報５２１が表示される。テキスト設定情報５２１は、テキストであり、コピー＆ペーストされて設定入力に利用される。
【００５７】
図７の例では、テキスト設定情報５２１としてマスター端末４１に固有のメールアドレス「abcd07014296627@i.xxbank.jp」が表示される。該設定項目では、設定ファイル５０において、端末４１，４２毎に固有のメールアドレスが設定されている（図４の１段目、右端から２番目のカラムにおける各メールアドレス参照）。これにより、スレーブ端末４２に対する該設定項目のキッティング時においても、各スレーブ端末４２は、固有のメールアドレスを表示することとなる。
【００５８】
マスター端末４１は、次へボタン９１１を選択されることにより、サーバ１に次の設定項目の設定情報５２等のリクエストを行う。このように、webページ９１は、当該webページ９１に含まれる設定情報５２の次の設定情報５２に対するリクエストをサーバ１に送信するための次へボタン９１１（本発明の要求ボタン）を含む。
【００５９】
サーバ１の配信制御部１０５は、キッティングシステム１００を通じたwebページ９１の次へボタン９１１に対する操作入力によってマスター端末４１から設定情報５２等のリクエストを受信する度に、設定ファイル５０からマスター端末４１の個体識別番号５１に対応する設定情報５２等（設定手順の説明５３、タイトル５４）を順に抽出してマスター端末４１に配信する。マスター端末４１は、該設定項目の設定情報５２等を受信する度に、webページ９１中の設定情報５２等を更新する。
【００６０】
図７の設定項目の次の設定項目は、図４の１段目、右端のカラムおよび図８（Ｂ）に参照されるように、パスワードのコピー＆ペーストである。該設定項目のテキスト設定情報５２１は、各端末４１，４２に共通のパスワード「abcd0088」となる。従って、該設定項目では、各端末４１，４２は、共通してパスワード「abcd0088」を表示することとなる。このように、各端末４１，４２が表示するテキスト設定情報５２１は、設定ファイル５０の定義次第で、各端末４１，４２に個別のものにも共通のものにも設定できる。
【００６１】
図８（Ｂ）の設定項目の次の設定項目は、図４の２段目、左端のカラムおよび図８（Ｃ）に参照されるように、セキュリティの質問の選択および答えのコピー＆ペーストである。該設定項目のテキスト設定情報５２１も、各端末４１，４２に共通の答え「xx大学高等学校・中学校」となる。
【００６２】
設定ファイル５０にて設定情報５２としてブランク５２２が設定されている場合、枠５２４内はブランクとされる（図４の１段目、左端のカラムおよび図９参照）。設定ファイル５０にて設定情報５２としてＵＲＬ５２３が設定されている場合、枠５２４内には、該ＵＲＬ５２３をリンク先とするハイパーリンクが設定された状態でＵＲＬ５２３が表示される（図５の２段目のカラムおよび図１４参照）。
【００６３】
図７に戻り、設定手順の説明５３は、「アドレスをコピー＆ペースト  Aleからのニュースとお知らせをOFF  ⇒作成をタップ（aCloudの場合）」と表示される。設定手順の説明５３は、設定によってはサーバ１から配信されずwebページ９１に表示されないが、この場合、オペレータは、タイトル５４を見て作業を行うこととなる。
【００６４】
webページ９１における図７の例では、タイトル５４は、「アドレス入力」と表示される。オペレータは、タイトル５４を見ることでも、該設定項目においてマスター端末４１にどのような操作入力を行うべきかを把握できる。
【００６５】
サーバ１は、マスター端末４１に対し、設定情報５２等と共に該設定項目の最初の設定項目からの順番および全体の設定項目数を送信する。マスター端末４１は、該情報に基づいて、webページ９１中のプログレスバー５５を、キッティングの進捗状況を示すように更新する。
【００６６】
図９は、アプリケーションプログラム「Zqqq」をインストールする際に配信される最初の設定項目の設定情報５２等を示す図である。
マスター端末４１は、サーバ１から最初の設定項目の設定情報５２等を受信し、webページ９１内に表示する（Ｓ２０４）。設定ファイル５０の図４の１段目左側のカラムに参照されるように、最初の設定項目に係る設定情報５２はブランク５２２であり、webページ９１の枠５２４内はブランクとされる。タイトル５４も同様にブランクであり、枠５４１内もブランクとされる。設定手順の説明５３は、「「OOstore」を開きZqqqを検索、入手→インストール  ポップが表示されたら「Ale IDを新規作成」をタップ」である。
【００６７】
図１０、図１１は、アプリケーションプログラム「Zqqq」のインストール時にマスター端末４１が表示する一連の画面８２を示す図である。
オペレータは、webページ９１の設定手順の説明５３を参照し、図１０（１）に示すように、ホーム画面である画面８２にてアプリケーションプログラム「OOstore」のアイコンをタッチペン２１によりタップしアプリケーションプログラム「OOstore」を開く。オペレータは、図１０（２）に示すように、アプリケーションプログラム「Zqqq」のアイコンをタッチペン２１によりタップした後、図１０（３）に示すように、「Appをインストール」と記載されるボタンをタップする。オペレータは、図１０（４）に示すように、表示されるポップ内の「Ale IDを新規作成」と記載されるボタンをタップする。マスター端末４１は、新規アカウントを作成するための図１０（５）の画面８２を表示する（ステップＳ２０５）。
【００６８】
オペレータは、設定手順の説明５３を参照し、最初の設定項目にてすべき操作入力を完了すると、タブをwebページ９１に戻し、次へボタン９１１をタッチペン２１によりタップする。これにより、マスター端末４１は、サーバ１に次の設定項目の設定情報５２等のリクエストを行う（ステップＳ２０６：ＮＯ，Ｓ２０７）。
【００６９】
サーバ１の配信制御部１０５は、リクエストを受信し、次の設定項目の設定情報５２等をマスター端末４１に配信する（ステップＳ１０６）。
【００７０】
マスター端末４１は、次の設定項目の設定情報５２等を受信しwebページ９１内の設定情報５２等を更新する（ステップＳ２０４）。該設定項目では、図４の１段目左から２番目のカラムに参照されるように、webページ９１にて設定情報５２はブランク５２２とされる。設定手順の説明５３は、「「日本」にチェックが入っている事を確認し  次へ  ⇒  同意」と表示される。オペレータは、設定手順の説明５３を参照し、タブを図１０（５）の画面８２に切り替え、「次へ」と記載されるボタンをタッチペン２１によりタップする。そして、オペレータは、図１０（６）の画面８２にて「同意」と記載されるボタンをタッチペン２１によりタップする。
【００７１】
図１２（Ａ）は、メールアドレスをコピー＆ペーストする設定項目の設定情報５２等を示す図である。図１２（Ｂ）は、該設定項目時にマスター端末４１に表示される画面８２である。該画面８２は、図１０（７）に対応する。
マスター端末４１は、メールアドレスおよびパスワードの入力を受け付けるための図１２（Ｂ）の画面８２を表示する（ステップＳ２０５）。
【００７２】
オペレータは、タブをwebページ９１に戻し、次へボタン９１１をタッチペン２１によりタップする。これにより、マスター端末４１は、サーバ１に次の設定情報５２等のリクエストを行う（ステップＳ２０６：ＮＯ，ステップＳ２０７）。
【００７３】
サーバ１の配信制御部１０５は、リクエストを受信し、図１２（Ａ）に示すように、メールアドレスをコピー＆ペーストするための次の設定情報５２等をマスター端末４１に配信する（ステップＳ１０７：ＮＯ、Ｓ１０６）。マスター端末４１は、webページ９１の設定情報５２等を、該次の設定情報５２等に更新する（ステップＳ２０４）。設定情報５２として、メールアドレスであるテキスト設定情報５２１が表示される。
【００７４】
オペレータは、設定手順の説明５３を参照し、メールアドレスであるテキスト設定情報５２１をタッチペン２１にてロングタップする。すると、テキスト設定情報５２１が選択バー９１３，９１４で囲まれ、コピーボタン９１５を含むメニュー９１６が表示される。オペレータは、メニュー９１６内のコピーボタン９１５をタッチペン２１にてタップし、テキスト設定情報５２１をコピーする。オペレータは、タブを図１２（Ｂ）の画面８２に切り替え、メールアドレスの入力欄８２１をタッチペン２１にてタップする。すると、ペーストボタン８２２を含むメニュー８２３が表示されるので、オペレータは、ペーストボタン８２２をタッチペン２１にてタップする。これにより、マスター端末４１は、コピーしたメールアドレスであるテキスト設定情報５２１を入力欄８２１にペーストする（ステップＳ２０５）。
【００７５】
前述したように、メールアドレスであるテキスト設定情報５２１は、端末４１、４２に固有のものが設定される。これにより、後述する各スレーブ端末４２に対して行われる該設定項目のキッティング時に、マスター端末４１に対する該設定項目の操作入力、すなわちテキスト設定情報５２１をコピー＆ペーストする操作入力が再現され、各スレーブ端末４２に同時に固有のテキスト設定情報５２１が設定されることとなる。
【００７６】
オペレータは、タブをwebページ９１に切り替え、次へボタン９１１をタッチペン２１にてタップする。これにより、マスター端末４１は、サーバ１に次の設定情報５２等のリクエストを行う（ステップＳ２０６：ＮＯ，Ｓ２０７）。
【００７７】
図１３（Ａ）は、パスワードをコピー＆ペーストする設定項目の設定情報５２等を示す図である。図１３（Ｂ）は、該設定項目時にマスター端末４１に表示される画面８２を示す図である。
サーバ１の配信制御部１０５は、リクエストを受信し、次の設定情報５２等をマスター端末４１に配信する（ステップＳ１０７：ＮＯ，Ｓ１０６）。マスター端末４１は、webページ９１の設定情報５２等を、該次の設定情報５２等に更新する（ステップＳ２０４）。設定情報５２として、パスワードであるテキスト設定情報５２１が表示される。
【００７８】
オペレータは、設定手順の説明５３を参照し、タッチペン２１により、パスワードであるテキスト設定情報５２１をロングタップした後、メニュー９１６内のコピーボタン９１５をタップし、テキスト設定情報５２１をコピーする。オペレータは、タブを図１３（Ｂ）の画面８２に切り替え、パスワードの入力欄８２４をタッチペン２１によりタップし、次いでペーストボタン８２２をタッチペン２１にてタップする。これにより、マスター端末４１は、パスワードであるテキスト設定情報５２１を入力欄８２４にペーストする。また、オペレータは、パスワードの確認用の入力欄８２５をタッチペン２１にてタップし、次いでペーストボタン８２２をタッチペン２１にてタップすることにより、パスワードであるテキスト設定情報５２１を確認用の入力欄８２５にもペーストする。
【００７９】
パスワードであるテキスト設定情報５２１は、各端末４１、４２に共通のものが設定される。これにより、後述する各スレーブ端末４２に対して行われる該設定項目のキッティング時に、マスター端末４１に対するテキスト設定情報５２１をコピー＆ペーストする操作入力が再現され、各スレーブ端末４２に同時に共通のテキスト設定情報５２１が設定されることとなる。
【００８０】
オペレータは、タッチペン２１により画面８２を下方にスクロールし、セキュリティ情報を入力するための図１０（８）（９）の画面８２をマスター端末４１に表示させる。なお、図１０（９）は、図１０（８）を下にスクロールさせた画面である。オペレータは、タブを図１３（Ａ）のwebページ９１に切り替え、次へボタン９１１をタッチペン２１にてタップし、設定情報５２等を更新する（マスター端末４１：ステップＳ２０５、Ｓ２０６：ＮＯ，Ｓ２０７、Ｓ２０４、サーバ１：ステップＳ１０７：ＮＯ，Ｓ１０６）。
【００８１】
オペレータは、webページ９１の設定手順の説明５３を参照し、テキスト設定情報５２１をコピーし、画面８２の入力欄（回答欄）にペーストした後、次の設定情報５２等に更新する。このようにして、オペレータは、タッチペン２１を用いてwebページ９１内のテキスト設定情報５２１をコピーし、図１０（８）（９）の画面８２の入力欄へペーストする等の設定入力を終えると、設定情報５２等を更新することを繰り返す（図４の２段目左端のカラムから６つ目のカラムまでおよび図１０（８）（９）参照）。なお、以下では、このようにタッチペン２１により設定入力をした後にwebページ９１の設定情報５２等を更新することを繰り返すので、「ステップＳＯＯＯ」の記載を省略する。
【００８２】
オペレータは、図１０（８）（９）の画面８２の各入力欄へのテキスト設定情報５２１の入力を完了させると、タッチペン２１を用いて、図１０（９）の画面８２の次へと記載されるボタンをタップし、図１１（１０）（１１）に示す画面８２に切り替える。図１１（１１）は、図１１（１０）を下方にスクロールさせた画面である。オペレータは、タブをwebページ９１に切り替え、次へボタン９１１をタッチペン２１にてタップし、設定情報５２等を更新する。
【００８３】
オペレータは、webページ９１のテキスト設定情報５２１を図１０（１１）の画面８２の入力欄へコピー＆ペーストする度に、webページ９１の設定情報５２等を更新することを繰り返し、新規アカウントの作成に必要な事項の画面８２への入力を完了させる。オペレータは、図１１（１１）の画面８２にて次へと記載されたボタンをタッチペン２１にてタップすると、図１１（１２）の確認メールについての画面８２に切り替わるので、終了と記載されたボタンをタッチペン２１にてタップする。
【００８４】
オペレータは、webページ９１の設定情報５２等を更新し（図５の１段目の左端から２番目のカラム参照）、図１１（１３）に示すように、タッチペン２１によりマスター端末４１を操作して確認メールを開く。オペレータは、図１１（１４）に示すように、「メール中の今すぐ確認」をタッチペン２１にてタップし、図１１（１５）に示す画面８２を開く。オペレータは、タッチペン２１により、webページ９１の設定情報５２等を更新し（図５の１段目の左端から３番目のカラム参照）、webページ９１中のパスワードであるテキスト設定情報５２１を、画面８２内の入力欄へコピー＆ペーストする。オペレータがタッチペン２１により、メールアドレスの確認と記載されたボタンをタップすると、マスター端末４１は、メールアドレスが確認された旨の図１１（１６）に示す画面８２を表示する。これにより、マスター端末４１へのアプリケーションプログラム「Zqqq」のインストールは終了する。
【００８５】
このように、オペレータは、webページ９１の設定手順の説明５３を参照し、タッチペン２１を用いて画面８２の操作入力を行ったり、画面８２の入力欄へ、コピーしたwebページ９１のテキスト設定情報５２１をペーストしたりする。また、オペレータは、図１４および図５の２段目のカラムに示すように、webページ９１に表示される設定情報５２がＵＲＬ５２３の場合、タッチペン２１によりＵＲＬ５２３をタップし、ＵＲＬ５２３先のwebページなど、ＵＲＬ５２３先が示すファイルへマスター端末４１をアクセスさせる。
【００８６】
オペレータは、webページ９１の設定情報５２等に対応する設定項目の操作入力を完了させると、設定情報５２等を更新して、該設定情報５２等に対応する設定項目の操作入力を行うことを繰り返す（ステップＳ２０５，Ｓ２０６：ＮＯ，Ｓ２０７、Ｓ２０４）。この際、サーバ１は、オペレータによるマスター端末４１へのキッティングの進捗状況に合わせて、設定ファイル５０中の設定情報５２を順次マスター端末４１へ配信する（ステップＳ１０７：ＮＯ，Ｓ１０６）。このようにして、マスター端末４１へのキッティングが完了する（マスター端末４１：ステップＳ２０６：ＹＥＳ、サーバ１：ステップＳ１０７：ＹＥＳ）。
【００８７】
サーバ１の操作入力情報取得部１０６は、マスター端末４１へのキッティングに係るタッチペン２１の一連の操作入力情報を、ティーチングユニット２から取得する。
【００８８】
以下、キッティングシステム１００がサーバ１と連携して複数のスレーブ端末４２へ同時にかつ自動でキッティングを行う際のサーバ１およびスレーブ端末４２の処理を、図１５のフローチャートを参照して説明する。図１５の各工程は図３の各工程と同様であるので、図１５の各工程については簡略に説明する。
【００８９】
サーバ１の操作入力情報送信部１０７は、自動設定ユニット３へ、タッチペン３１の一連の操作入力情報を送信する。自動設定ユニット３は、スレーブ端末４２毎に設けられて各々が同時に同じ動作を行う複数のタッチペン３１を用いて、マスター端末４１へのキッティングに係るタッチペン２１による操作入力を再現する。
【００９０】
各スレーブ端末４２は、自動設定ユニット３による各タッチペン３１の操作入力を受け付け、webブラウザを起動し、個体識別番号５１の入力用のwebページ９２のＵＲＬの入力を受け付ける。また、各スレーブ端末４２は、非同期的にサーバ１と通信するためのスクリプトを有効に設定する。各スレーブ端末４２は、個体識別番号５１の入力受付用のwebページ９２のリクエストをサーバ１に送信する（ステップＳ４０１）。
【００９１】
サーバ１の配信制御部１０５は、各スレーブ端末４２から該リクエストを受けて、個体識別番号５１の入力用のwebページ９２（図６（Ａ））を各スレーブ端末４２に配信する（ステップＳ３０１）。
【００９２】
各スレーブ端末４２は、webページ９２（図６（Ａ））を受信し、タッチパネル４１１に表示する（ステップＳ４０２）。各スレーブ端末４２は、タッチペン３１による操作入力を受け付け、個体識別番号５１の表示画面８１（図６（Ｂ））を表示し、表示画面８１から自機の個体識別番号５１（ＩＭＥＩ）をコピーし、webページ９２の入力欄９２１にペーストする。各スレーブ端末４２は、タッチペン３１による操作入力を受け付け、設定情報表示用のwebページ９１のリクエストとともに、入力された個体識別番号５１をサーバ１に送信する（ステップＳ４０３）。
【００９３】
サーバ１の配信制御部１０５は、各スレーブ端末４２に対し、設定情報表示用のwebページ９２を配信するとともに、最初の設定項目の設定情報５２等を配信する（ステップＳ３０２）。
【００９４】
各スレーブ端末４２は、webブラウザおよび有効に設定されたスクリプトにより、設定情報表示用のwebページ９１をタッチパネル４１１に表示するとともに、最初の設定項目の設定情報５２等を表示する（ステップＳ４０４）。
【００９５】
各スレーブ端末４２は、該設定項目におけるマスター端末４１に対する操作入力を再現するタッチペン３１による操作入力を受け付ける。各スレーブ端末４２は、webページ９１中のテキスト設定情報５２１（例えば図１２（Ａ））をコピーして画面８２（例えば図１２（Ｂ））にペーストする等、該設定項目におけるマスター端末４１の動作を再現する動作を行い、該設定項目を完了させる（ステップＳ４０５）。
【００９６】
各スレーブ端末４２は、タッチペン３１による操作入力を受け付け、次の設定項目の設定情報５２等のリクエストをサーバ１に送信する（ステップＳ４０６：ＮＯ，Ｓ４０７）。
【００９７】
サーバ１は、次の設定項目の設定情報５２等を各スレーブ端末４２に送信する（ステップＳ３０３）。
【００９８】
各スレーブ端末４２は、webページ９１の設定情報５２等を更新する（ステップＳ４０４）。このようにして、各スレーブ端末４２は、各設定項目におけるマスター端末４１への操作入力を再現するタッチペン３１による操作入力を受け付け、該設定項目を完了させると、webページ９１の設定情報５２等を更新することを繰り返す（スレーブ端末４２：ステップＳ４０５，Ｓ４０６：ＮＯ，Ｓ４０７、Ｓ４０４、サーバ１：ステップＳ３０４：ＮＯ，Ｓ３０３）。
【００９９】
この際、設定情報５２が各スレーブ端末４２に固有のテキスト設定情報５２１である場合、各スレーブ端末４２は、テキスト設定情報５２１をコピー＆ペーストする同一の操作入力を自動設定ユニット３から受け付けても、それぞれ固有のテキスト設定情報５２１を画面８２に入力することとなる。
【０１００】
一方、設定情報５２が各スレーブ端末４２に共通のテキスト設定情報５２１である場合、各スレーブ端末４２は、テキスト設定情報５２１をコピー＆ペーストする同一の操作入力を自動設定ユニット３から受け付け、それぞれ同一のテキスト設定情報５２１を画面８２に入力することとなる。
【０１０１】
サーバ１が、設定ファイル５０中の設定情報５２を順次各スレーブ端末４２へ配信し、各スレーブ端末４２が、それぞれ配信される設定情報５２を表示し、該設定情報５２を用いて設定項目を完了させることで、各スレーブ端末４２へのキッティングが完了する（スレーブ端末４２：ステップＳ４０６：ＹＥＳ、サーバ１：ステップＳ３０４：ＹＥＳ）。
【０１０２】
（本実施形態によるキッティングの効果）
本実施形態では、複数台のスレーブ端末４２を同時にキッティングするので、端末４１，４２の導入までのリードタイムを短縮できる。
【０１０３】
本実施形態では、オペレータが係るキッティング作業はマスター端末４１に対するものだけであり、スレーブ端末４２に対しては自動設定ユニット３によりキッティングを行うことで、人手による作業を最小化している。そのため、本実施形態では、手作業の操作入力によるミスを抑えることができ、多数のスレーブ端末４２に対してキッティングを行う場合でも、効率的かつ正確にキッティングを行うことができる。
【０１０４】
本実施形態では、サーバ１がスレーブ端末４２に対し固有のテキスト設定情報５２１を配信することで、各スレーブ端末４２に対しタッチペン３１によりテキスト設定情報５２１のコピー＆ペーストという同一の操作入力を行っても、同じ設定項目に対してスレーブ端末４２毎に異なるテキスト設定情報５２１の設定入力を行うことができる。
【０１０５】
本実施形態では、サーバ１がスレーブ端末４２に対し共通のテキスト設定情報５２１を配信し、各スレーブ端末４２に対しタッチペン３１によりテキスト設定情報５２１のコピー＆ペーストという同一の操作入力を行うことで、同じ設定項目に対してスレーブ端末４２毎に共通のテキスト設定情報５２１の設定入力を行うことができる。
【０１０６】
本実施形態では、設定情報５２、設定手順の説明５３、タイトル５４がwebページ９１内の定まった位置に表示される。そのため、オペレータは、キッティング時に、設定情報５２をタップすべきことや、設定手順の説明５３の説明やタイトル５４を参照することを直感的に把握できる。本実施形態では、次へボタン９１１もwebページ９１内の定まった位置に表示される。そのため、本実施形態では、キッティング時に設定情報５２へのタップおよび次へボタン９１１へのタップを繰り返す必要があるところ、該操作入力を容易にできる。
【０１０７】
特許文献１のキッティング方法は、キー情報に対応した動作を行うモードを有するスマートフォン等の情報端末が適用対象である。該モードでは、上フリックや下フリックに対応するキー情報やダブルタップに対応するキー情報等、各タッチジェスチャに対応するキー情報が設定されている。特許文献１の方法では、各情報端末をキッティングする際の一連のタッチジェスチャに対応する一連のキー情報を生成し、該一連のキー情報をＰＣに記憶させる。情報端末は、キッティング開始前に、予め、キー情報に対応した動作を行うモードに設定される。該方法では、ＰＣから各情報端末に一連のキー情報を順次送信し、端末に一連のキー情報に対応した動作を順次行わせることにより、各情報端末にキッティングを行う。しかし、特許文献１の方法は、キー情報に対応した動作を行うモードを有するＯＳの情報端末を適用対象としており、該モードを有さないＯＳの情報端末には適用できない。
【０１０８】
本実施形態のキッティング方法では、サーバ１が、設定ファイル５０中の設定情報５２を順次各スレーブ端末４２へ配信し、各スレーブ端末４２が、それぞれ配信される設定情報５２を表示し、該設定情報５２を用いて設定項目を完了させていくことを順次行う。そのため、本実施形態のキッティング方法は、端末４１、４２の機種やＯＳを問わずに実施でき、汎用性がある。
【０１０９】
（ベリファイ方法）
上述したように、本実施形態のキッティングシステム１００は、同時にかつ同一の操作入力を受け付ける複数のスレーブ端末４２（本発明の情報端末）と、複数のスレーブ端末４２に同時にかつ同一の操作入力を行わせるためのオペレータによって操作されるマスター端末４１（本発明の代表情報端末）と、を含む。
【０１１０】
サーバ１は、複数のスレーブ端末４２とは個別にまたは一緒に、マスター端末４１に対してwebページ９１を通じた固有のテキスト設定情報５２１の配信制御、および共通のテキスト設定情報５２１の配信制御を行う。なお、ここでは、マスター端末４１用と複数のスレーブ端末４２用のサーバ１が同じ場合、一緒に配信制御を行うことを意味し、マスター端末４１用と複数のスレーブ端末４２用のサーバ１が別個にある場合、個別に配信制御を行うことを意味する。サーバ１は、同様に、複数のスレーブ端末４２に対してwebページ９１を通じた固有のテキスト設定情報５２１の配信制御、および共通のテキスト設定情報５２１の配信制御を行う。
【０１１１】
キッティングシステム１００は、端末４１、４２に対し、webページ９１を通じて固有のテキスト設定情報５２１のキッティング操作入力を行う。端末４１、４２には、該キッティング操作入力を通じて一つまたは複数の固有設定情報（固有の入力済みのテキスト設定情報５２１）が格納されることとなる。
【０１１２】
キッティングシステム１００は、端末４１、４２に対し、上記キッティング操作入力とは異なり各端末４１、４２間で共通する共通キッティング設定操作、すなわち共通のテキスト設定情報５２１をコピー＆ペーストする共通キッティング設定操作を行う。マスター端末４１には、該共通キッティング設定操作を通じた１つ又は複数の第１共通設定情報（端末４１、４２に共通の入力済みのテキスト設定情報５２１）が格納されることとなる。また、複数のスレーブ端末４２には、それぞれ第１共通設定情報に対応する第２共通設定情報（端末４１、４２に共通の入力済みのテキスト設定情報５２１）が格納されることとなる。
【０１１３】
このようなキッティング処理の終了後、サーバ１により、スレーブ端末４２（およびマスター端末４１）へのキッティングが正常に行われたかのベリファイ処理（正規のデータとの照合処理）が行われる。以下、該ベリファイ処理を図１６のフローチャートを参照して説明する。
【０１１４】
サーバ１の内部設定情報取得部１１０は、端末４１、４２から抽出される端末設定情報を取得し、端末設定情報を端末４１、４２の個体識別番号５１毎に記憶部１０３に記憶させる（Ｓ５０１）。端末設定情報は、固有設定情報および第１、第２共通設定情報を含む。
【０１１５】
サーバ１のマスターデータ生成部１１３は、マスター端末４１から抽出された固有設定情報および第１共通設定情報を、設定ファイル５０における対応する値とベリファイ（照合）する。この際、マスターデータ生成部１１３が、設定ファイル５０の規定通りにマスター端末４１が設定されていないと判定する場合、オペレータは、エラーの固有設定情報または第１共通設定情報に関して手動でマスター端末４１に正規の設定を行う。
【０１１６】
マスターデータ生成部１１３は、設定ファイル５０の規定通りマスター端末４１が設定されていると判定する場合、正規の設定がされたマスター端末４１から抽出された端末設定情報に基づいて、スレーブ端末４２のベリファイ用のベリファイマスターデータを生成する（ステップＳ５０２）。ベリファイマスターデータは、端末４１、４２の共通の設定に係るマスター端末４１の第１共通設定情報を含む。
【０１１７】
サーバ１の第１検証部１１１は、各スレーブ端末４２から抽出された固有設定情報と、設定ファイル５０中の対応する値とをベリファイする（ステップＳ５０３）。第１検証部１１１が設定ファイル５０の値通りにスレーブ端末４２の固有設定情報が設定されていないと判定する場合、オペレータは、該固有設定情報に関して手動でスレーブ端末４２に正規の設定を行う。
【０１１８】
サーバ１の第２検証部１１２は、各スレーブ端末４２から抽出された第２共通設定情報と、マスター端末４１の端末設定情報から生成されたベリファイマスターデータ中の対応する値（第１共通設定情報）とをベリファイする（ステップＳ５０４）。第２検証部１１２が設定ファイル５０の値（第１共通設定情報）通りにスレーブ端末４２の第２共通設定情報が設定されていないと判定する場合、オペレータは、該第２共通設定情報に関して手動でスレーブ端末４２に正規の設定を行う。
【０１１９】
（ベリファイ方法の効果）
本実施形態では、各スレーブ端末４２に格納された固有設定情報を設定ファイル５０とベリファイするので、各スレーブ端末４２の固有設定情報を自動でチェックできる。本実施形態では、各スレーブ端末４２に格納された第２共通設定情報を、マスター端末４１に格納された第２共通設定情報（ベリファイマスターデータ中の値）とベリファイするので、各スレーブ端末４２の第２共通設定情報も自動でチェックできる。このように、本実施形態では、キッティング済みのマスター端末４１の設定内容のチェックを自動化できるので、人手によって設定内容をチェックする場合に比べ、キッティングによる設定内容のチェックをローコストで行うことができる。
【０１２０】
（ティーチングユニット２の構成）
図１７は、ティーチングユニット２の斜視図である。
ティーチングユニット２のベース２０１上にはトレイ２０２が設置される。トレイ２０２には、滑り止めシート２０３が敷かれるとともに、ストッパ２０４が設けられる。マスター端末４１は、端部および角部がストッパ２０４に当接した状態でトレイ２０２上に設置され、位置決めされる。
【０１２１】
ベース２０１上には、タッチペン２１をＸ軸方向に移動させるためのＸ軸用直動案内ユニット２２、タッチペン２１をＹ軸方向に移動させるためのＹ軸用直動案内ユニット２３、およびタッチペン２１をＺ軸方向に移動させるためのＺ軸用直動案内ユニット２４がある。
【０１２２】
Ｙ軸用直動案内ユニット２３は、Ｙ軸方向に延びるガイド部材２３１と、Ｙ軸方向にスライド移動することをガイド部材２３１にガイドされる可動テーブル２３２とを備える。Ｙ軸用直動案内ユニット２３には、Ｙ軸用リニアエンコーダ２５が設けられる。
【０１２３】
Ｙ軸用リニアエンコーダ２５は、可動テーブル２３２のＹ軸方向における時間毎の変位量（位置情報）を取得する、換言すると、タッチペン２１のＹ軸方向の操作入力情報を取得する。Ｙ軸用リニアエンコーダ２５は、ガイド部材２３１に設けられＹ軸方向に沿って目盛が設けられたスケール２５１と、可動テーブル２３２に設けられ、スケール２５１の目盛を読み取って可動テーブル２３２の変位量を検出するヘッド２５２とを備える。ヘッド２５２は、可動テーブル２３２の変位量（操作入力情報）を示す検出信号を出力する。
【０１２４】
Ｘ軸用直動案内ユニット２２は、可動テーブル２３２上に固定されるスライダ２２１と、Ｘ軸方向に延びてＸ軸方向にスライド移動することをスライダ２２１にガイドされるレール２２２とを備える。Ｘ軸用直動案内ユニット２２には、Ｘ軸用リニアエンコーダ２６が設けられる。
【０１２５】
Ｘ軸用リニアエンコーダ２６は、レール２２２のＸ軸方向における時間毎の変位量（位置情報）を取得する、換言すると、タッチペン２１のＸ軸方向の操作入力情報を取得する。Ｘ軸用リニアエンコーダ２６は、レール２２２に設けられ、Ｘ軸方向に沿って目盛が設けられたスケール２６１と、可動テーブル２３２に設けられ、スケール２６１の目盛を読み取ってレール２２２の変位量を検出するヘッド２６２とを備える。ヘッド２６２は、レール２２２の変位量を示す検出信号（操作入力情報）を出力する。レール２２２のＸ軸方向の端部には、ベース板２４１が固定される。
【０１２６】
Ｚ軸用直動案内ユニット２４は、ベース板２４１に設けられ、Ｚ軸方向に延びる不図示のレールと、Ｚ軸方向にスライド移動することをレールにガイドされるスライダ２４２とを備える。スライダ２４２には、タッチペン２１を有するタッチユニット２８が設けられる。Ｚ軸用直動案内ユニット２４には、Ｚ軸用リニアエンコーダ２７が設けられる。
【０１２７】
Ｚ軸用リニアエンコーダ２７は、スライダ２４２のＺ軸方向における時間毎の変位量（位置情報）を取得する、換言すると、タッチペン２１のＺ軸方向の操作入力情報を取得する。Ｚ軸用リニアエンコーダ２７は、スライダ２４２に設けられ、Ｚ軸方向に沿って目盛が設けられた不図示のスケールと、ベース板２４１に設けられ、スケールの目盛を読み取ってスライダ２４２の変位量を検出するヘッド２７１とを備える。ヘッド２７１は、スライダ２４２の変位量を示す検出信号（操作入力情報）を出力する。スライダ２４２とベース板２４１との間にはバネ２４３が設けられる。バネ２４３は、スライダ２４２の自重による落下を防ぎ、スライダ２４２をつり合い点で保持する。
【０１２８】
タッチユニット２８は、ホルダ２８１、グリップ２８２、不図示のスライダ、ボールスプライン軸２８３、タッチペン２１を備える。ホルダ２８１は、スライダ２４２に固定される。グリップ２８２は、ホルダ２８１を介してスライダ２４２に対して固定される。不図示のスライダは、ホルダ２８１の内側に設けられる。
【０１２９】
ボールスプライン軸２８３は、不図示のスライダにＺ軸方向にスライド移動可能に保持される。タッチペン２１は、ボールスプライン軸２８３と同軸であり、ボールスプライン軸２８３の下端に接続する。ホルダ２８１とボールスプライン軸２８３との間には不図示のバネが設けられる。バネは、タッチペン２１がマスター端末４１に強く当接しすぎた際に、タッチペン２１の上方への移動を許容する。これにより、タッチパネル４１１へ当接するタッチペン２１の圧力が適切な圧力に調整される。
【０１３０】
（自動設定ユニット３の構成）
図１８は、自動設定ユニット３の斜視図である。
自動設定ユニット３の機台３０１上には、位置決めテーブル３０２が設置される。位置決めテーブル３０２上には、トレイ３０３（図１９）および滑り止めシート３０４を介してスレーブ端末４２がＹ軸方向に沿って複数設置される。各スレーブ端末４２は、端部および角部がストッパ３０５（図１９）に当接し、位置決めされる。
【０１３１】
機台３０１上には、位置決めテーブル３０２をＸ軸方向に移動させるためのＸ軸用直動案内ユニット３２、タッチペン３１をＹ軸方向に移動させるためのＹ軸用直動案内ユニット３３、およびタッチペン３１をＺ軸方向に移動させるためのＺ軸用直動案内ユニット３４がある。
【０１３２】
Ｘ軸用直動案内ユニット３２は、Ｙ軸方向に間隔をあけて設置されて位置決めテーブル３０２の下面に固定される３台のスライダ３２１を備える。スライダ３２１は、Ｘ軸方向へスライド移動する。スライダ３２１の移動は、サーボモータ３５を用いてサーボ制御される。Ｙ軸方向の中央のスライダ３２１がサーボモータ３５に駆動され、Ｙ軸方向の両端側のスライダ３２１は、中央のスライダ３２１に従動する。
【０１３３】
Ｙ軸用直動案内ユニット３３は、機台３０１上にＹ軸方向に沿って設置されるガイド部材３３１を備える。
【０１３４】
図１９は、Ｙ軸用直動案内ユニット３３のレール３３２（図１９では一つのみ図示）およびスライダ３３３の拡大斜視図である。
Ｙ軸用直動案内ユニット３３は、ガイド部材３３１にＹ軸方向に間隔をあけて固定される２つのレール３３２および２つのスライダ３３３を備える。スライダ３３３は、レール３３２にＹ軸方向にスライド移動可能にガイドされる。スライダ３３３には、Ｙ軸方向に延びる位置決めテーブル３６がＺ軸用直動案内ユニット３４を介して設けられる。位置決めテーブル３６は、両スライダ３３３に対して１つ設けられる。スライダ３３３の移動は、サーボモータ３５を介してサーボ制御される。Ｙ軸方向の一方のスライダ３３３がサーボモータ３５に駆動され、Ｙ軸方向の他方のスライダ３３３は、一方のスライダ３３３に従動する。
【０１３５】
位置決めテーブル３６には、各端末４２に対応するタッチペン３１がＹ軸方向に間隔を空けて設けられる。タッチペン３１は、タッチユニット３１１を介して位置決めテーブル３６に設けられる。タッチユニット３１１は、ティーチングユニット２のタッチユニット２８と比べ、オペレータに動かされることがないためにグリップ２８２およびホルダ２８１が無いが、他の点はタッチユニット２８と同様の構成である。タッチユニット３１１は、端末４１に当接するタッチペン３１の圧力を適切な圧力に調整する。Ｙ軸用直動案内ユニット３３は、スライダ３３３をＹ軸方向に駆動することで、複数のタッチペン３１を同時にＹ軸方向に駆動する。
【０１３６】
Ｚ軸用直動案内ユニット３４は、Ｙ軸用直動案内ユニット３３のスライダ３３３に固定されＺ軸方向に延びるレール３４１と、位置決めテーブル３６に固定され、レール３３２にＹ軸方向にスライド移動可能にガイドされるスライダ３４２とを備える。レール３４１およびスライダ３４２は、Ｙ軸方向に間隔を空けて一対設けられる（図１８）。スライダ３４２は、サーボモータ３５を用いてサーボ制御される。
【０１３７】
ティーチングユニット２は、タッチペン２１を３軸方向に駆動できるところ、自動設定ユニット３は、タッチペン３１を端末４２に対して相対的に３軸方向に駆動できる。従って、自動設定ユニット３は、ティーチングユニット２によるタッチペン２１のマスター端末４１に対する動作を、タッチペン３１を端末４２に対して相対的に駆動することで再現できる。
【０１３８】
（変形例）
前記実施形態では、端末４１，４２が非同期的にサーバ１と通信してwebページ９１全体ではなく、webページ９１中の設定情報５２等を更新する例を説明した。しかし、端末４１，４２は、同期的にサーバ１と通信し、設定項目ごとにwebページ９１全体を更新することで、設定情報５２を順次更新するようにしてもよい。この場合、端末４１，４２に対し、非同期的にサーバ１と通信するためのスクリプトを有効に設定する必要は無い。
【０１３９】
以下、サーバ１が設定情報５２の配信を端末４１，４２にwebページ９１全体を更新させることで行う場合のキッティング時の処理について図２０のフローチャートを参照して簡略に説明する。図２１は、一連のwebページ９１を示す図である。
本例の場合、webページ作成部１０２は、設定ファイル５０に基づき、端末４１，４２毎、かつ設定項目ごとに設定情報表示用のwebページ９１を作成する（ステップＳ１０２１）。記憶部１０３は、webページ９１を記憶する（ステップＳ１０２２）。
【０１４０】
本例のwebページ９１は、webページ９１毎に該設定項目の設定情報５２、設定手順の説明５３、タイトル５４、プログレスバー５５が含まれる点が前記実施形態のwebページ９１とは異なる。
【０１４１】
webページ作成部１０２は、図２１に示すように、ある端末４１，４２に対するある設定項目のwebページ９１を作成する際に、次へボタン９１１のリンク先を、ある端末４１，４２に対応する前記ある設定項目の次の設定項目のwebページ９１のＵＲＬに設定する。
【０１４２】
webページ作成部１０２は、webページ９１を生成する際に、戻るボタン９１２のリンク先を、前の設定項目のwebページ９１のＵＲＬに設定する。以上により、ある端末４１，４２に対する設定項目毎の一連のwebページ９１は、次へボタン９１１および戻るボタン９１２により数珠つながりにリンクすることとなる。これにより、マスター端末４１のキッティングの際に、オペレータは、設定項目を完了させる毎に次へボタン９１１を押すことで、端末４１，４２に、次の設定項目のwebページ９１を開かせることができる。
【０１４３】
配信制御部１０５は、マスター端末４１から個体識別番号５１を受信すると、設定情報表示用の１枚目のwebページ９１をマスター端末４１に配信する（ステップＳ１０５Ａ）。１枚目のwebページ９１は、最初の設定項目の設定情報５２等（設定手順の説明５３、タイトル５４、プログレスバー５５）を含む。以降、配信制御部１０５は、マスター端末４１が次へボタン９１１を押されて次の設定項目のwebページ９１のリクエスト（本発明の情報取得要求）を送信する度に（ステップＳ２０７Ａ）、記憶部１０３から次の設定項目の設定情報５２等を含むwebページ９１を抽出し、マスター端末４１に送信する（ステップＳ１０６Ａ）。
【０１４４】
図２２は、スレーブ端末４２のキッティング時のサーバ１およびスレーブ端末４２の処理を示すフローチャートである。
スレーブ端末４２のキッティング時においても、同様に、配信制御部１０５は、各スレーブ端末４２から個体識別番号５１を受信すると、設定情報表示用の１枚目のwebページ９１を各スレーブ端末４２に配信する（ステップＳ３０２Ａ）。以降、配信制御部１０５は、各スレーブ端末４２が次へボタン９１１を押されて次の設定項目のwebページ９１のリクエスト（本発明の情報取得要求）を送信する度に（ステップＳ４０７Ａ）、記憶部１０３から各スレーブ端末４２および次の設定項目に対応する設定情報５２等を含むwebページ９１を抽出し、各スレーブ端末４２に送信する（ステップＳ３０３Ａ）。
【０１４５】
前記実施形態および変形例では、サーバ１は、設定情報表示用の１枚のwebページ９１に１つの設定情報５２が表示されるようにしたが、１枚のwebページ９１に複数の設定情報５２（例えばテキスト設定情報５２１とＵＲＬ５２３や、複数のテキスト設定情報５２１）が表示されてもよい。この場合、自動設定ユニット３は、スレーブ端末４２に対し、１枚のwebページ９１中の複数のテキスト設定情報５２１等を順次コピー＆ペーストしたり、テキスト設定情報５２１をコピー＆ペーストした後に、ＵＲＬ５２３をタップしてスレーブ端末４２にＵＲＬ５２３が示す宛先のファイルを取得させたりすることとなる。
【０１４６】
前記実施形態では、マスター端末４１に対するオペレータのキッティング時のタッチパネル４１１、４２１へのタッチ操作を各スレーブ端末４２で再現することで、各スレーブ端末４２に、マスター端末４１と同様の操作入力を入った。しかし、端末４１，４２への操作入力は、タッチパネル４１１、４２１へのタッチ操作で行われなくてもよい。端末４１，４２が、キー情報に対応した動作を行うモードを有するＯＳを備える場合、操作入力は、端末４１，４２へキー情報を送ることで行ってもよい。
【０１４７】
本明細書において、タッチパネル４１１，４２３に対するタッチジェスチャとは、タップ、ダブルタップ、ドラッグ、フリック、ピンチ、スワイプ、ロングタップを含む。また、前記実施形態では、タッチパネル４１１，４２３に対する接触点が一本のタッチペンによりタッチパネルに接触した。しかし、自動設定ユニット３は、例えば２つのタッチ部により、タッチパネルの２領域を同時に接触してもよく、タッチジェスチャとしてピンチアウトやピンチインを行ってもよい。
【符号の説明】
【０１４８】
１…サーバ（設定支援システム、コンピュータ）、２…ティーチングユニット、３…自動設定ユニット、２１、３１…タッチペン、４１…マスター端末（代表情報端末）、４２…スレーブ端末（情報端末）、５０…設定ファイル、５２…設定情報、８２…画面（入力画面）、９１…webページ（キッティング支援画面）、１００…キッティングシステム、１０３…記憶部（第１機能）、１０５…配信制御部（第２機能）、１１０…内部設定情報取得部、１１１…第１検証部、１１２…第２検証部、９１１…次へボタン（要求ボタン）。
【図１】
2019067245.tif 000003
【図２】
2019067245.tif 000004
【図３】
2019067245.tif 000005
【図４】
2019067245.tif 000006
【図５】
2019067245.tif 000007
【図６】
2019067245.tif 000008
【図７】
2019067245.tif 000009
【図８】
2019067245.tif 000010
【図９】
2019067245.tif 000011
【図１０】
2019067245.tif 000012
【図１１】
2019067245.tif 000013
【図１２】
2019067245.tif 000014
【図１３】
2019067245.tif 000015
【図１４】
2019067245.tif 000016
【図１５】
2019067245.tif 000017
【図１６】
2019067245.tif 000018
【図１７】
2019067245.tif 000019
【図１８】
2019067245.tif 000020
【図１９】
2019067245.tif 000021
【図２０】
2019067245.tif 000022
【図２１】
2019067245.tif 000023
【図２２】
2019067245.tif 000024